(57)【特許請求の範囲】
【請求項１】
曲と同時にその曲のカラオケ用音楽データを送信するセンターと、前記曲とカラオケ用音楽データを受信し、前記カラオケ用音楽データを格納する通信カラオケ端末装置とからなる通信カラオケシステムであって、
前記通信カラオケ端末装置は、前記受信したカラオケ用音楽データを所定時間分乃至所定曲分過去録する過去録手段と、受信した曲の出力中に特定のボタンが押されるとその出力中の曲のカラオケ用音楽データを記憶する記憶手段とを具備することを特徴とする通信カラオケシステム。
【請求項２】
曲と同時にその曲のカラオケ用音楽データを送信するセンターと、前記曲とカラオケ用音楽データを受信し、前記カラオケ用音楽データを格納する通信カラオケ端末装置とからなる通信カラオケシステムの通信カラオケ端末装置であって、
前記通信カラオケ端末装置は、前記受信したカラオケ用音楽データを所定時間分乃至所定曲分過去録する過去録手段と、受信した曲の出力中に特定のボタンが押されるとその出力中の曲のカラオケ用音楽データを記憶する記憶手段とを具備することを特徴とする通信カラオケ端末装置。
【請求項３】
曲と同時にそのＩＤを多重送信するセンターから受信した曲の出力中に特定のボタンが押されるとその曲のＩＤを記録する第１記録手段と、
カラオケ用音楽データと同時にそのＩＤを多重送信するセンターから前記第１記録手段に記録されたＩＤのカラオケ用音楽データの受信時に、そのカラオケ用音楽データを記録する第２記録手段とを具備することを特徴とする通信カラオケ端末装置。
【発明の詳細な説明】
【０００１】
【発明の属する技術分野】
本発明は、通信カラオケシステム及び通信カラオケ端末装置に関するものであり、更に詳述すれば、放送により配信される歌詞データ、文字画像データ、カラオケ楽曲データ（ＭＩＤＩデータ）等のカラオケ用音楽データを通信カラオケ端末装置側で選択的に受信するものに関する。
【０００２】
【従来の技術】
従来、公衆電話回線（アナログ及びＩＳＤＮ）を用いて、カラオケ用音楽データをセンターから各地に点在するカラオケ端末装置に配信する通信カラオケシステムがある。
【０００３】
このような従来の通信カラオケシステムは、センターと各カラオケ端末装置が１対１の通信であるため、端末が要求するデータだけをその端末に送信することが可能であった。
【０００４】
又、最近、ＦＭ放送に文字などのデータを多重して送信し、受信機側で、音楽を再生させながら、文字データを表示させることができるＦＭ多重放送サービスが開始されている。
【０００５】
【発明が解決しようとする課題】
カラオケ用音楽データを放送（例えば、ＦＭ多重放送や私設放送回線等）により配信する場合、センターと各カラオケ端末装置は１対多の通信となるため、カラオケ端末装置が要求するデータだけをそのカラオケ端末装置に送信することはできないという問題がある。
【０００６】
本発明は、このような事情に鑑みなされたものであり、カラオケ用音楽データを放送により配信し、更には、受信側が必要ないカラオケ用音楽データを記憶（記録）しないようにすることが可能な通信カラオケシステム及び通信カラオケ端末装置を提供することを特徴とする目的をする。
【０００７】
【課題を解決するための手段】
請求項１に記載の本発明の通信カラオケシステムは、曲と同時にその曲のカラオケ用音楽データを送信するセンターと、前記曲とカラオケ用音楽データを受信し、前記カラオケ用音楽データを格納する通信カラオケ端末装置とからなる通信カラオケシステムであって、前記通信カラオケ端末装置は、前記受信したカラオケ用音楽データを所定時間分乃至所定曲分過去録する過去録手段と、受信した曲の出力中に特定のボタンが押されるとその出力中の曲のカラオケ用音楽データを記憶する記憶手段とを具備することを特徴とする。
【０００８】
請求項３に記載の本発明の通信カラオケ端末装置は、曲と同時にそのＩＤを多重送信するセンターから受信した曲の出力中に特定のボタンが押されるとその曲のＩＤを記録する第１記録手段と、カラオケ用音楽データと同時にそのＩＤを多重送信するセンターから前記第１記録手段に記録されたＩＤのカラオケ用音楽データの受信時に、そのカラオケ用音楽データを記録する第２記録手段とを具備することを特徴とする。
【０００９】
【発明の実施の形態】
以下、本発明の放送によりカラオケ用音楽データを配信する通信カラオケシステム及び通信カラオケ端末装置の実施例を説明する。
図１は本発明の通信カラオケシステムの全体構成を示した図であり、１３は放送局（センター）であり、ＦＭ放送波にカラオケ用音楽データ（ＭＩＤＩデータを含む）を多重して送信している。１４は例えば衛星等の中継基地であり、ＦＭ放送局１３からのＦＭ多重放送波が直接届かない遠方の他のＦＭ放送局１３’や、カラオケ端末が受信できるようにするものである。
【００１０】
１１は、通信カラオケ端末装置であり、ＦＭ多重放送を受信器１２で受信して、復調したカラオケ用音楽データを格納し、顧客のリクエスト等に応じて格納したカラオケ用音楽データを再生するものである。
【００１１】
１２はＦＭ多重放送波の受信器であり、図２に示す如く構成されている。
【００１２】
ＦＭ多重放送は、ＦＭ放送の電波のすきま部分に情報を乗せて放送するものであり、送信されたＦＭ多重放送波は、アンテナ１２１で受信され、チューナ１２２で選局されて、従前の音楽信号はステレオアンプ１２３に入力されてステレオスピーカ１２４より再生される。一方、多重信号はバンドパスフィルタ１２５により抽出されて、データ信号復調器１２６で復調される。データ信号復調器１２６で復調されたカラオケ用音楽データは、通信カラオケ端末装置１１内に格納される。
【００１３】
図３は、本発明の通信カラオケ端末装置の全体構成図であり、２０はバス、２１は演算処理手段、２２は主記憶手段であり受信したカラオケ用音楽データが記憶される。２３は通信制御手段、２４は通信インタフェース、２５は受信バッファ、２６は各種キー、２７は記憶したカラオケ用音楽データを再生する再生手段、２８は表示手段である。
【００１４】
図４は、ＦＭ多重放送波に多重されたカラオケ用音楽データの模式図である。
【００１５】
図４に示したように、カラオケ用音楽データ（音楽データ１、音楽データ２、音楽データ３）は、同じデータが繰り返し（サイクリック）に送信されており、サイクリックに送信しているデータの先頭に現在送信しているデータのテーブル（送信テーブル）を付加している。
【００１６】
図５はカラオケ端末１１側で放送されたカラオケ用音楽データの中から、受信したいカラオケ用音楽データを選択するための処理を示したフローチャートである。
【００１７】
ＦＭ多重放送よりカラオケ用音楽データを受信すると、図４に示した現在送信されているカラオケ用音楽データの送信テーブルの内容、例えば、楽曲のタイトル、歌手名及びその楽曲のＩＤを表示手段２８に表示する（ステップ１１（Ｓ１１））、受信者は表示された内容から受信したいカラオケ用音楽データ（音楽データ１、音楽データ２、又は音楽データ３）のＩＤを各種キー２６を操作して選択すると（Ｓ１２）、選択されたＩＤの内容が主記憶手段２２に格納（保存）される（Ｓ１３）。
【００１８】
図６は、受信したいカラオケ用音楽データの受信処理のフローチャートである。
【００１９】
図５の処理で主記憶手段２２に保存した受信したいカラオケ用音楽データのＩＤと同じＩＤのデータを受信すると（Ｓ２１）、そのカラオケ用音楽データを主記憶手段２２に格納（保存）する（Ｓ２２）。但し、既に主記憶手段２２に格納されている場合は、重複記憶をさけるため、主記憶手段２２に格納は行われない。Ｓ２１で受信したデータのＩＤでない場合は、Ｓ２３でそのデータが送信テーブルかどうかを判定し、送信テーブルの場合は、Ｓ２４でそれを受信し主記憶手段２２に保存し、送信テーブルでない場合は、保存せずにスキップする。
【００２０】
このように、あらかじめに受信したいカラオケ用音楽データのＩＤを登録しておくことにより、ＦＭ多重放送により受信したいカラオケ用音楽データが放送されたとき、該カラオケ用音楽データを記憶することができ、顧客のリクエストにより、カラオケのサービスを提供できる。
【００２１】
本実施例では、カラオケ用音楽データをＦＭ多重放送をつかって配信する例を説明したが、この他、他の多重放送であってもよい。
例えば、一般の音楽放送と同時にその曲のカラオケ用音楽データを多重送信し、受信端末側（例えば、テレビ一体型の通信カラオケ端末装置）で、前記カラオケ用音楽データを所定時間分乃至所定曲分過去録するように構成すれば、聞き手が音楽を聞いて、この曲のカラオケが欲しいと思えば、特定のボタンを押すことにより、当該曲のカラオケ用音楽データを曲の最初から取り込むことができる。
【００２２】
さらに、一般の音楽放送と同時にその曲のＩＤのみを多重送信する場合には、特定のボタンを押すことによりＩＤのみを記録しておき、別の常にカラオケ用音楽データをサイクリックに流している多重放送（多重チャンネル）から、上記選択されたＩＤの曲の受信時に、当該曲のカラオケ用音楽データを受信端末に記録する様に構成することもできる。
【００２３】
又、私設放送回線を使用した放送によりカラオケを配信するものであっても適用可能である。
【００２４】
また、本実施例においては、カラオケ用音楽データのみについて説明したが、カラオケ用音楽データ以外の任意のデータであっても適用できる。
【００２５】
又、本実施例においては、図４に示したように送信しているカラオケ用音楽データのテーブルを送信する方法を用いたが、このようにテーブルの送信を行わずに、例えば、２週間毎の送信予定表を印刷物で配布し、受信側で受信するＩＤを指定する方法であってもよい。
【００２６】
【発明の効果】
本発明によれば、カラオケ用音楽データをセンターから送信し、更には、受信側が必要にしない音楽データを記憶（記録）しないようにすることが可能な通信カラオケシステム及び通信カラオケ端末装置を提供することができる。
具体的には、聞き手が音楽を聞いて、この曲のカラオケが欲しいと思えば、受信した曲の出力中に特定のボタンを押すことにより、その曲のカラオケ用音楽データを取り込むことができる。
また、受信した曲の出力中に特定のボタンが押されると、曲のＩＤをとりあえず記録し、別の放送からそのＩＤのカラオケ用音楽データを記録することができる。
【図面の簡単な説明】
【図１】本発明の通信カラオケシステムの全体構成を示した図である。
【図２】受信器１２の全体構成図である。
【図３】本発明の通信カラオケ端末装置の全体構成図である。
【図４】ＦＭ多重放送波に多重されたカラオケ用音楽データの模式図である。
【図５】カラオケ端末１１側で放送されたカラオケ用音楽データの中から、受信したいカラオケ用音楽データを選択するための処理を示したフローチャートである。
【図６】受信したいカラオケ用音楽データの受信処理のフローチャートである。
【符号の説明】
１１    通信カラオケ端末装置
１２    受信器
１３    放送局
１４    中継基地
２０    バス
２１    演算処理手段
２２    主記憶手段
２３    通信制御手段
２５    通信インタフェース
２６    各種キー
２７    再生手段
２８    表示手段
１２１    アンテナ
１２２    チューナ
１２３    ステレオアンプ
１２４    ステレオスピーカ
１２５    バンドパスフィルタ
１２６    データ信号復調器
【図１】
0003599843.tif 000002
【図２】
0003599843.tif 000003
【図３】
0003599843.tif 000004
【図４】
0003599843.tif 000005
【図５】
0003599843.tif 000006
【図６】
0003599843.tif 000007